【事件の表示】
　平成　６年特許願第２２８１５３号「記憶した多量データへの同時複数アクセスを行うシステム」拒絶査定不服審判事件〔平成　７年　６月１６日出願公開、特開平　７−１５２５００〕について、次のとおり審決する。
【結　論】
　本件審判の請求は、成り立たない。
【理　由】
１．手続の経緯
　本願は、平成６年９月２２日（優先権主張：平成５年９月２３日、優先権主張国：米国）の出願であって、平成１８年１２月１１日付けで拒絶査定がなされ、これに対し、平成１９年３月１９日に拒絶査定不服審判が請求されたものである。 
　本願の請求項１に係る発明（以下、「本願発明」という。）は、平成１７年１２月２１日付けの手続補正により補正された明細書及び図面の記載からみて、その特許請求の範囲の請求項１に記載された次のとおりのものと認める。
　
　「【請求項１】　多量のデータを記憶し、記憶したデータへの同時複数アクセスを行うシステムであって、
　前記データを記憶するＮ個の個別の記憶アレイを有し、各記憶アレイが入出力手段を有する大容量記憶媒体と、
　Ｎ個のアクセスチャネルを有し、各アクセスチャネルが入出力手段を有するアクセス媒体と、
　Ｎ個のコミュテーションパスを有し、各パスによって、前記Ｎ個の個別の記憶アレイのうちの１つの記憶アレイの入出力手段を、前記Ｎ個のアクセスチャネルのうちの１つのアクセスチャネルの入出力手段に接続するコミュテータと、
　前記コミュテータに、Ｔ＝Ｎ×ｔ（ここにｔはコミュテータの各位置での所要時間、Ｔは前記アクセスチャネルの１つが前記Ｎ個の記憶アレイの全部に接続された時間である）となるように、前記コミュテーションパスを周期的に切換えさせる制御手段とを具え、
　複数個のアクセスチャネルは、前記コミュテータがパスを切換えるたびに、複数個の記憶アレイに接続されることを特徴とするシステム。」
　
２．刊行物
（２−１）
　原査定の拒絶の理由に引用された、阪本 秀樹、西村 一敏、石橋 豊、中野 治、マルチメディア統合スイッチングシステムの方式検討、電子情報通信学会技術研究報告、社団法人電子情報通信学会、１９９２年３月５日、Ｖｏｌ．９１　Ｎｏ．４９９ ＩＥＩＣＥ　Ｔｅｃｈｎｉｃａｌ　Ｒｅｐｏｒｔ、Ｐ．８５〜９０　（以下、「刊行物１」という。）には、図面と共に、次のような記載がある。
　
　「２　ＭＩＳＳの構成と基本動作
２．１　ＭＩＳＳの構成
２．１．１　マルチメデイア情報提供システムの構成
　マルチメディア情報提供システムの構成と、ＭＩＳＳの位置づけを図１に示す。これは、センタに蓄積してあるサウンド、静止画、動画等のメディア情報を、Ｂ−ＩＳＤＮや高速ＬＡＮを介して端末で表示／再生するセンタ−エンド型システムである。センタ側の構成に着目すると、メディア情報を蓄積管理する複数の蓄積サーバと、ネットワークを収容し通信プロトコル処理を行う複数の通信サーバが、ＭＩＳＳにより接続されている。
　
２．１．２　制御バスとデータバスの分離
　ＭＩＳＳと、各蓄積サーバ、各通信サーバとの間は、それぞれ１本の制御バスと、１本のデータバスによって接続されている。制御バスは、各サーバの制御ブロセッサとＭＩＳＳ内の制御プロセッサ（転送スケジューラ）とを接統するバスであり、ブロセッサ間相互でメディア情報転送制御のための１０バイトから２０バイト程度のメッセージが転送される。それに対してデータバスは、「蓄積サーバ」→「ＭＩＳＳ（マトリックススイッチ）」→「通信サーバ」の３者を接続し、高速にメディア情報の転送を行うためのバスである。制御バスとデ−タバスの仕様を表１に示す。データバスと制御バスの制御タイミングのずれを避けるため、ＭＩＳＳではデータバスの信号線を用いて、ハードウェアによるフロー制御機能を実現している。
　
２．１．３　接続サーバ数／チャネル数
　ＭＩＳＳは、入カポートに接続したＭ１台の蓄積サーバと、出カポートに接続したＭ２台の通信サーバとを相互に同時接続することが可能である。さらにＭＩＳＳでは、論理的転送路としてチャネルがあり、各ポート（サーバ）内でＮチャネル多重をサポートしている。このチャネルは、ＭＩＳＳが管理するものであり、ＭＩＳＳからの制御信号により切り替えられる。各サーバ／チャネル対応に異なったメディア情報転送が可能なため、ＭＩＳＳでは最大（Ｍｉｎ（Ｍ１，Ｍ２）×Ｎ）個の転送要求に対して同時に転送制御を行うこととなる。プロトタイプでは、最大収容サーバ数Ｍ１＝１６，Ｍ２＝１６、チャネル数Ｎ＝８とし、最大転送要求数は１２８個となる。
　
２．２　ＭＩＳＳの基本動作
２．２．ｌ　ＭＩＳＳの内部構成とスイッチング
　ＭＩＳＳの内部は、「転送スケジューラ」と「マトリックススイッチ」の２つの部分に分かれる。転送スケジューラは、各サーバから出される各メディア情報転送要求に対して、どのようにタイムスロット時間の割り当てを行うかをソフトウェアにより算出する。それに対してマトリックススイッチは、転送スケジューラが作成したタイムスロット割り当て表に従って、タイムスロットごとにマトッリクススイッチの接点および接続チャネルの選択を実行するもので、これはハードウェアの自律的動作による。
　転送スケジューラが算出したタイムスロット割り当て表の例を図２に示す。同図に示すように、各転送要求に対するタイムスロット時間割り当ては、実際には、各タイムスロット時間において、どの蓄積サーバのどのチャネルと、どの通信サーバのどのチャネルとを接続するかという接続対応表によって示される。マトリックススイッチ部では、この接続対応表に従って各タイムスロット時間の開始時に全サーバ／チャネルの接続設定を行い、以後、同一タイムスロット時間内においては同一のサーバ／チャネル接続状態が維持される。また、タイムスロットはｔ相の周期をもっており、Ｑ１−Ｑｉのｔ個のクイムスロットが終了した後には、次の周期に入り、またＱ１タイムスロットからスイッチング動作が繰り返される。マトリックススイッチの動作パラメータを表２に示す。
　
２．２．２　基本的な通信シーケンス
　図１に示したマルチメディア情報提供システムにおいて、端末からの要求により、蓄積サーバから通信サーバヘメディア情報を転送する場合の基本的な通信シーケンスを図３に示す。同図に示すように、ＭＩＳＳでは、蓄積サーバより「メディア転送要求」が通知された時点でタイムスロット割り当て表の更新を行い、そのメディア転送に対して新たにタイムスロットを割り当てる。また、メディア情報転送終了後、蓄積サーバより「メディア情報転送終了」が通知された時点で再度タイムスロット割り当てを更新し、そのメディア情報転送に対するタイムスロットを削除する。このように、メディア情報転送要求が発生または終了するごとに、各メディア情報転送要末に対してダイナミックに便用タイムスロットを割り当てていく。なお、タイムスロット割り当て更新期間中も、それ以前の最も新しいタイムスロット割り当てによる他のメディア情報転送は継続されており、従って、１つのメディア情報転送がタイムスロット割り当てのために待たされるのは、転送要求時の１回のみである。」（第８６ページ２１行〜第８７ページ最下行）
　
  これらの記載によれば、刊行物１には、次の発明（以下、「刊行物１発明」という。）が開示されていると認めることができる。
　
（ａ）
　センタに蓄積してあるサウンド、静止画、動画等のメディア情報を、Ｂ−ＩＳＤＮや高速ＬＡＮを介して端末で表示／再生するセンタ−エンド型システムであるマルチメディア情報提供システムであって、
（ｂ）
　センタ側の構成に着目すると、メディア情報を蓄積管理する複数の蓄積サーバと、ネットワークを収容し通信プロトコル処理を行う複数の通信サーバが、ＭＩＳＳにより接続されており、
　ＭＩＳＳと、各蓄積サーバ、各通信サーバとの間は、それぞれ１本の制御バスと、１本のデータバスによって接続されていて、制御バスは、各サーバの制御ブロセッサとＭＩＳＳ内の制御プロセッサ（転送スケジューラ）とを接統するバスであり、それに対してデータバスは、「蓄積サーバ」→「ＭＩＳＳ（マトリックススイッチ）」→「通信サーバ」の３者を接続し、高速にメディア情報の転送を行うためのバスであり、
（ｃ）
　ＭＩＳＳは、入カポートに接続したＭ１台の蓄積サーバと、出カポートに接続したＭ２台の通信サーバとを相互に同時接続することが可能であり、さらにＭＩＳＳでは、論理的転送路としてチャネルがあり、各ポート（サーバ）内でＮチャネル多重をサポートしており、このチャネルは、ＭＩＳＳが管理するものであり、ＭＩＳＳからの制御信号により切り替えられ、各サーバ／チャネル対応に異なったメディア情報転送が可能なため、ＭＩＳＳでは最大（Ｍｉｎ（Ｍ１，Ｍ２）×Ｎ）個の転送要求に対して同時に転送制御を行うこととなり、プロトタイプでは、最大収容サーバ数Ｍ１＝１６，Ｍ２＝１６、チャネル数Ｎ＝８とし、最大転送要求数は１２８個となり、
（ｄ）
　ＭＩＳＳの内部は、「転送スケジューラ」と「マトリックススイッチ」の２つの部分に分かれ、転送スケジューラは、各サーバから出される各メディア情報転送要求に対して、どのようにタイムスロット時間の割り当てを行うかをソフトウェアにより算出し、それに対してマトリックススイッチは、転送スケジューラが作成したタイムスロット割り当て表に従って、タイムスロットごとにマトッリクススイッチの接点および接続チャネルの選択を実行するもので、これはハードウェアの自律的動作により、
　転送スケジューラが算出したタイムスロット割り当て表の例では、各転送要求に対するタイムスロット時間割り当ては、実際には、各タイムスロット時間において、どの蓄積サーバのどのチャネルと、どの通信サーバのどのチャネルとを接続するかという接続対応表によって示され、マトリックススイッチ部では、この接続対応表に従って各タイムスロット時間の開始時に全サーバ／チャネルの接続設定を行い、以後、同一タイムスロット時間内においては同一のサーバ／チャネル接続状態が維持され、タイムスロットはｔ相の周期をもっており、Ｑ１−Ｑｉのｔ個のクイムスロットが終了した後には、次の周期に入り、またＱ１タイムスロットからスイッチング動作が繰り返され、
（ｅ）
　端末からの要求により、蓄積サーバから通信サーバヘメディア情報を転送する場合の基本的な通信シーケンスでは、ＭＩＳＳでは、蓄積サーバより「メディア転送要求」が通知された時点でタイムスロット割り当て表の更新を行い、そのメディア転送に対して新たにタイムスロットを割り当て、また、メディア情報転送終了後、蓄積サーバより「メディア情報転送終了」が通知された時点で再度タイムスロット割り当てを更新し、そのメディア情報転送に対するタイムスロットを削除し、このように、メディア情報転送要求が発生または終了するごとに、各メディア情報転送要末に対してダイナミックに便用タイムスロットを割り当てていき、なお、タイムスロット割り当て更新期間中も、それ以前の最も新しいタイムスロット割り当てによる他のメディア情報転送は継続されており、従って、１つのメディア情報転送がタイムスロット割り当てのために待たされるのは、転送要求時の１回のみである、
　マルチメディア情報提供システム」　
　
（２−２）
　また、原査定の拒絶の理由に引用された特開平４−４０６８８号公報（平成４年２月１２日出願公開、以下、「刊行物２」という。）には、図面と共に、次のような記載がある。
　
　「【特許請求の範囲】
（１）映像ファイルを格納し、所定の容量単位でのランダムアクセスが可能な複数のディスクと、上記複数のディスクに対して、所定間隔で読み出しおよび／または書き込み指令を発行する入出力手段を具備する映像ファイル装置。
（２）映像ファイルを所定容量のブロック単位に分割し、時間的に連続するブロックを他の上記ディスクに格納し、一つの映像ファイルをアクセスする時は、所定時間毎に別々の上記ディスクに起動信号を発することにより、複数の映像ファイルを同時にアクセスできることを特徴とする請求項（１）記載の映像ファイル装置。」（第１ページ【特許請求の範囲】）
　
　「第１図において、ユーザからの指令に応じて複数のディスクの動作をコントロールするものがコントローラ（１０１）である。映像ファイルを格納するディスクは、それぞれディスク１（１０２）、ディスク２（１０３）、ディスク３（１０４）、ディスク４（１０５）である。個々のディスクに対する制御指令を発行するのが、ｌ／Ｏ（１０６〜１０９）であり、Ｉ／Ｏ（１０６）はディスク１（１０２）に対する指令を発行する。Ｉ／Ｏ（１０７）はディスク２（１０３）に対する指令を発行する。Ｉ／Ｏ（１０８）はディスク３（１０４）に対する指令を発行する。Ｉ／Ｏ（１０９）はディスク４（１０５）に対する指令を発行する。コントローラ（１０１）から、それぞれのｌ／Ｏ（１０６〜１０９）に対する指令は、それぞれ信号線１１０，１１１，１１２，１１３を用いて行う。
　読み出し映像データは、Ｘ（１１４）、Ｙ（１１５）、Ｚ（１１６）、Ｗ（１１７）の４本の映像データ信号線を介して得られる。それぞれの映像データ信号線は、４つのＩ／Ｏブロックと接続されており、どのディスクから読み出された映像データも特定の映像データ信号線（１１４〜１１７）を介して得ることができる。
　第２図は第１図に示す装置の映像ファイルの格納形式を示すものである。映像ファイルは、ある所定のデータ量毎に分割して管理される。分割方法は、例えばＮＴＳＣ映像データであれば、一定フレーム数とすれば良い。分割されるデータ量の具体的な値は、ディスクがデータを読み出すのに必要であるアクセス時間に基づいて算出される。
　映像ファイルＡを、ブロックＡ０，Ａ１，Ａ２，Ａ３，Ａ４，Ａ５，Ａ６，Ａ７，・・・と分割した場合を考えて見る。ブロックＡ０はディスク１（１０２）に、ブロックＡ１はディスク２（１０３）に、ブロックＡ２はディスク３（１０４）に、ブロックＡ３はディスク４（１０５）に、といった具合に順次格納される。
　第３図は第１図の装置に第２図に示された映像データ格納方式を採用した場合に、複数のユーザが映像ファイルの読み出し要求をかけたときのタイミングチャートである。ユーザＡは映像ファイルＡを、ユーザＢは映像ファイルＢを、ユーザＣは映像ファイルＣを、ユーザＤは映像ファイルＡをそれぞれアクセスした場合を示している。時刻ｔ１でユーザＡの要求は、ディスク１（１０２）の映像ブロックＡ０に対する読み出しに変換される。ユーザＡが次に読み出す映像ブロックは、ディスク２に格納されている映像ブロックＡ１であり、第１図のコントローラ（１０１）を介して映像ブロックＡ１の読み出し指示が発行される。読み出し結果はディスク１（１０２）の映像ブロックＡ０に続いて出力される。映像ブロックＡ２，Ａ３はそれぞれディスク３（１０４）、ディスク４（１０５）から読み出しが行われる。映像ブロックＡ４は、ディスク１（１０２）に格納されているので、今まで述べたディスク１〜４（１０２〜１０５）を介した映像ブロックアクセスが繰り返される。
　この方式では、同一ディスクに対する映像ブロック読み出しは、４回の映像ブロックアクセス毎に行われるため、一つのディスクでは３回分の別映像ブロックアクセス時間を設けることができている。従って、時刻ｔ２でユーザＣが映像ファイルＣの読み出し要求を行ったとしても、そのファイルの先頭映像ブロックＣ０の読み出しは、ディスク１（１０２）のブロックＡ０に引き続いて行うことができる。以後の読み出し動作は、映像ファイルＡに対するものと同一であり、映像ブロックＣ１，Ｃ２，Ｃ３，・・・は、それぞれディスク２（１０３），３（１０４），４（１０５）から順次読み出される。時刻ｔ３にユーザＢが映像ファイルＢを読み出した時も、映像ブロックＢ０，Ｂ１，Ｂ２，Ｂ３，・・・は、それぞれディスク１（１０２），２（１０３），３（１０４），４（１０５）から順次読み出される。
　ここで、時刻ｔ４にユーザＤがユーザＡが読み出し中の映像ファイルＡを、再度読み出したとすると、映像ファイルＡを構成している映像ブロックＡ０，Ａ１，Ａ２，Ａ３は、ディスク１（１０２），２（１０３），３（１０４），４（１０５）から順次読み出すことが可能である。
　このように、映像ファイルをブロック化して順次別ディスクに格納することで、従来例では実現できなかった複数映像ファイルの同時アクセスを実現することが可能である。すなわち、４つのディスクを用いて、最大４ユーザまでの同時アクセスを許すシステムを構成することができる。」（第３ページ左下欄１６行〜第４ページ左下欄最下行）
　
  これらの記載によれば、刊行物２には、次の発明（以下、「刊行物２発明」という。）が開示されていると認めることができる。
　
（ｆ）
　映像ファイルを格納し、所定の容量単位でのランダムアクセスが可能な複数のディスクと、上記複数のディスクに対して、所定間隔で読み出しおよび／または書き込み指令を発行する入出力手段を具備する映像ファイル装置であって、
（ｇ）
　ユーザからの指令に応じて複数のディスクの動作をコントロールするコントローラ（１０１）、映像ファイルを格納するディスクであるディスク１（１０２）、ディスク２（１０３）、ディスク３（１０４）、ディスク４（１０５）、個々のディスクに対する制御指令を発行するｌ／Ｏ（１０６〜１０９）、ディスク１（１０２）に対する指令を発行するＩ／Ｏ（１０６）、ディスク２（１０３）に対する指令を発行するＩ／Ｏ（１０７）、ディスク３（１０４）に対する指令を発行するＩ／Ｏ（１０８）、ディスク４（１０５）に対する指令を発行するＩ／Ｏ（１０９）、コントローラ（１０１）から、それぞれのｌ／Ｏ（１０６〜１０９）に対する指令を行う各信号線１１０，１１１，１１２，１１３からなり、
（ｈ）
　読み出し映像データは、Ｘ（１１４）、Ｙ（１１５）、Ｚ（１１６）、Ｗ（１１７）の４本の映像データ信号線を介して得られ、それぞれの映像データ信号線は、４つのＩ／Ｏブロックと接続されており、どのディスクから読み出された映像データも特定の映像データ信号線（１１４〜１１７）を介して得ることができ、
（ｉ）
　映像ファイル装置の映像ファイルの格納形式においては、映像ファイルは、ある所定のデータ量毎に分割して管理され、分割方法は、例えばＮＴＳＣ映像データであれば、一定フレーム数とすれば良く、分割されるデータ量の具体的な値は、ディスクがデータを読み出すのに必要であるアクセス時間に基づいて算出され、
（ｊ）
　映像ファイルＡを、ブロックＡ０，Ａ１，Ａ２，Ａ３，Ａ４，Ａ５，Ａ６，Ａ７，・・・と分割した場合は、ブロックＡ０はディスク１（１０２）に、ブロックＡ１はディスク２（１０３）に、ブロックＡ２はディスク３（１０４）に、ブロックＡ３はディスク４（１０５）に、といった具合に順次格納され、
　この映像データ格納方式を採用した場合に、複数のユーザが映像ファイルの読み出し要求をかけたときのタイミングチャートにおいては、ユーザＡは映像ファイルＡを、ユーザＢは映像ファイルＢを、ユーザＣは映像ファイルＣを、ユーザＤは映像ファイルＡをそれぞれアクセスした場合は、時刻ｔ１でユーザＡの要求は、ディスク１（１０２）の映像ブロックＡ０に対する読み出しに変換され、ユーザＡが次に読み出す映像ブロックは、ディスク２に格納されている映像ブロックＡ１であり、コントローラ（１０１）を介して映像ブロックＡ１の読み出し指示が発行され、読み出し結果はディスク１（１０２）の映像ブロックＡ０に続いて出力され、映像ブロックＡ２，Ａ３はそれぞれディスク３（１０４）、ディスク４（１０５）から読み出しが行われ、映像ブロックＡ４は、ディスク１（１０２）に格納されているので、今まで述べたディスク１〜４（１０２〜１０５）を介した映像ブロックアクセスが繰り返され、
　この方式では、同一ディスクに対する映像ブロック読み出しは、４回の映像ブロックアクセス毎に行われるため、一つのディスクでは３回分の別映像ブロックアクセス時間を設けることができており、従って、時刻ｔ２でユーザＣが映像ファイルＣの読み出し要求を行ったとしても、そのファイルの先頭映像ブロックＣ０の読み出しは、ディスク１（１０２）のブロックＡ０に引き続いて行うことができ、以後の読み出し動作は、映像ファイルＡに対するものと同一であり、映像ブロックＣ１，Ｃ２，Ｃ３，・・・は、それぞれディスク２（１０３），３（１０４），４（１０５）から順次読み出され、時刻ｔ３にユーザＢが映像ファイルＢを読み出した時も、映像ブロックＢ０，Ｂ１，Ｂ２，Ｂ３，・・・は、それぞれディスク１（１０２），２（１０３），３（１０４），４（１０５）から順次読み出され、
　ここで、時刻ｔ４にユーザＤがユーザＡが読み出し中の映像ファイルＡを、再度読み出したとすると、映像ファイルＡを構成している映像ブロックＡ０，Ａ１，Ａ２，Ａ３は、ディスク１（１０２），２（１０３），３（１０４），４（１０５）から順次読み出すことが可能であり、
（ｋ）
　このように、映像ファイルをブロック化して順次別ディスクに格納することで、従来例では実現できなかった複数映像ファイルの同時アクセスを実現することが可能であり、すなわち、４つのディスクを用いて、最大４ユーザまでの同時アクセスを許す
　システム。
　
３．対比
（イ）
　本願発明と刊行物１発明とを比較すると、刊行物１発明の「マルチメディア情報提供システム」「サウンド、静止画、動画等のメディア情報」、は、それぞれ本願発明の「システム」、「多量のデータ」に相当する。
（ロ）
　また、刊行物１発明の「マルチメディア情報提供システム」は、「センタに蓄積してあるサウンド、静止画、動画等のメディア情報を、Ｂ−ＩＳＤＮや高速ＬＡＮを介して端末で表示／再生するセンタ−エンド型システムであ」り、「ＭＩＳＳ（マトリックススイッチ）は、入カポートに接続したＭ１台の蓄積サーバと、出カポートに接続したＭ２台の通信サーバとを相互に同時接続することが可能であ」るから、本願発明の「多量のデータを記憶し、記憶したデータへの同時複数アクセスを行うシステム」に相当する。
（ハ）
　また、刊行物１発明の「メディア情報を蓄積管理する複数の蓄積サーバ」は、ＭＩＳＳや通信サーバとメディア情報の転送を行い、さらに「ＭＩＳＳは、入カポートに接続したＭ１台の蓄積サーバと、出カポートに接続したＭ２台の通信サーバとを相互に同時接続する」ことから、刊行物１発明の各「蓄積サーバ」は、本願発明の「データを記憶するＮ個の個別の記憶アレイ」とは、「データを記憶するＮ個の個別の記憶装置」である点で一致し、また、刊行物１発明の各「蓄積サーバ」は、情報の転送を行うのであるから、本願発明の「入出力手段」に相当するものを備えていることは明らかであるから、刊行物１発明の「複数の蓄積サーバ」は、本願発明とは「データを記憶するＮ個の個別の記憶装置を有し、各記憶装置が入出力手段を有する大容量記憶媒体」である点で一致する。
（ニ）
　また、刊行物１発明の「ネットワークを収容し通信プロトコル処理を行う複数の通信サーバ」は、ＭＩＳＳとメディア情報の転送を行うのであるから、各通信サーバが本願発明の「入出力手段」に相当するものを備えていることは明らかであるので、本願発明の「Ｎ個のアクセスチャネルを有し、各アクセスチャネルが入出力手段を有するアクセス媒体」に相当する。
（ホ）
　また、刊行物１発明では、「ＭＩＳＳ」は、「入カポートに接続したＭ１台の蓄積サーバと、出カポートに接続したＭ２台の通信サーバとを相互に同時接続することが可能であ」るから、本願発明とは「Ｎ個のコミュテーションパスを有し、各パスによって、前記Ｎ個の個別の記憶装置のうちの１つの記憶装置の入出力手段を、前記Ｎ個のアクセスチャネルのうちの１つのアクセスチャネルの入出力手段に接続するコミュテータ」である点で一致する。
（へ）
　また、刊行物１発明では、「ＭＩＳＳの内部は、「転送スケジューラ」と「マトリックススイッチ」の２つの部分に分かれ、・・・マトリックススイッチは、転送スケジューラが作成したタイムスロット割り当て表に従って、タイムスロットごとにマトッリクススイッチの接点および接続チャネルの選択を実行する・・・マトリックススイッチ部では、この接続対応表に従って各タイムスロット時間の開始時に全サーバ／チャネルの接続設定を行い、以後、同一タイムスロット時間内においては同一のサーバ／チャネル接続状態が維持され」ることから、本願発明とは「複数個のアクセスチャネルは、前記コミュテータがパスを切換えるたびに、複数個の記憶装置に接続される」点で一致する。
　
　したがって、両者は、
　「多量のデータを記憶し、記憶したデータへの同時複数アクセスを行うシステムであって、
　前記データを記憶するＮ個の個別の記憶装置を有し、各記憶装置が入出力手段を有する大容量記憶媒体と、
　Ｎ個のアクセスチャネルを有し、各アクセスチャネルが入出力手段を有するアクセス媒体と、
　Ｎ個のコミュテーションパスを有し、各パスによって、前記Ｎ個の個別の記憶装置のうちの１つの記憶装置の入出力手段を、前記Ｎ個のアクセスチャネルのうちの１つのアクセスチャネルの入出力手段に接続するコミュテータと、
　を具え、
　複数個のアクセスチャネルは、前記コミュテータがパスを切換えるたびに、複数個の記憶装置に接続されるシステム。」
の点で一致し、以下の点で相違している。
　
［相違点１］
　本願発明では、「前記コミュテータに、Ｔ＝Ｎ×ｔ（ここにｔはコミュテータの各位置での所要時間、Ｔは前記アクセスチャネルの１つが前記Ｎ個の記憶アレイの全部に接続された時間である）となるように、前記コミュテーションパスを周期的に切換えさせる制御手段」を具えるのに対して、刊行物１発明では、そのような制御手段がない点。
　
［相違点２］
　「記憶装置」が、本願発明では、「記憶アレイ」であるのに対して、刊行物１発明では、記憶アレイでない点。
　
　
４．判断
［相違点１］について
　刊行物２発明における「映像ファイル」、「同時アクセスを許すシステム」、「読み出し映像データが得られる４本の映像データ信号線Ｘ（１１４）、Ｙ（１１５）、Ｚ（１１６）、Ｗ（１１７）」は、それぞれ、本願発明における「多量のデータ」、「記憶したデータへの同時複数アクセスを行うシステム」、「Ｎ個のアクセスチャネル」に相当する。
　また、刊行物２発明における「映像ファイルを格納するディスクであるディスク１（１０２）、ディスク２（１０３）、ディスク３（１０４）、ディスク４（１０５）」は、本願発明における「データを記憶するＮ個の個別の記憶装置を有す大容量記憶媒体」に相当する。
　また、刊行物２発明においては、コントローラ（１０１）は、信号線１１０，１１１，１１２，１１３を用いて、ｌ／Ｏ（１０６〜１０９）が個々のディスクに対する制御指令を発行するようにし、それぞれの映像データ信号線は、４つのＩ／Ｏブロックと接続されており、どのディスクから読み出された映像データも特定の映像データ信号線（１１４〜１１７）を介して得ることができるから、刊行物２発明における「ｌ／Ｏ（１０６〜１０９）」は、本願発明とは「Ｎ個のコミュテーションパスを有し、各パスによって、前記Ｎ個の個別の記憶アレイのうちの１つの記憶装置を、前記Ｎ個のアクセスチャネルのうちの１つのアクセスチャネルに接続するコミュテータ」である点で一致する。
　また、刊行物２発明のシステムは、「映像ファイルを格納し、所定の容量単位でのランダムアクセスが可能な複数のディスクと、上記複数のディスクに対して、所定間隔で読み出しおよび／または書き込み指令を発行する入出力手段を具備」し、各映像ブロックが、例えば、一定フレーム数で分割して、管理されており（摘記事項（ｉ）参照。）、また、ユーザＡが映像データＡを読み出すに当たって時刻ｔ１でディスク１から映像ブロックＡ０を、時刻ｔ２でディスク２からブロックＡ１を、時刻ｔ３でディスク３から映像ブロックＡ２を、時刻ｔ４でディスク４から映像ブロックＡ３を、・・・順次読み出しており（摘記事項（ｊ）参照。）、特定の映像データ信号線に４つのディスク全部から順次接続されるように周期的にｌ／Ｏ（１０６〜１０９）を制御しているから、刊行物２発明の「コントローラ（１０１）」は、本願発明の表現を用いると「前記コミュテータに、コミュテータの各位置で所要時間接続し、前記Ｎ個の記憶装置の全部に順番に接続するように、前記コミュテーションパスを周期的に切換えさせる制御手段」を備える点で一致する。
　そうすると、刊行物２発明は、本願発明の用語を用いると、次の発明と認められる。
　「多量のデータを分割管理して記憶し、記憶したデータへの同時複数アクセスを行うシステムであって、
　前記データを記憶するＮ個の個別の記憶装置を有す大容量記憶媒体と、
　Ｎ個のアクセスチャネルを有し、
　Ｎ個のコミュテーションパスを有し、各パスによって、前記Ｎ個の個別の記憶装置のうちの１つの記憶装置を、前記Ｎ個のアクセスチャネルのうちの１つのアクセスチャネルに接続するコミュテータと、
　前記コミュテータに、コミュテータの各位置で所要時間接続し、前記Ｎ個の記憶装置の全部に順番に接続するように、前記コミュテーションパスを周期的に切換えさせる制御手段とを具える
　システム。」
　
　そして、刊行物１発明のシステムにおける動画のようなリアルタイムメディア情報について、分割管理し、同時複数アクセスが出来るように、刊行物２発明の「制御手段」を採用し、その際に制御手段をコミュテータの各位置で所要時間ｔ接続するようにして、本願発明のように「コミュテータに、Ｔ＝Ｎ×ｔ（ここにｔはコミュテータの各位置での所要時間、Ｔは前記アクセスチャネルの１つが前記Ｎ個の記憶アレイの全部に接続された時間である）となるように、前記コミュテーションパスを周期的に切換えさせる」ことは、当業者が容易に想到し得たことである。
　
［相違点２］について
　一般に、「記憶装置」として、「入出力手段を有する記憶アレイ」は、技術常識であり、刊行物１発明の蓄積サーバとして、当該技術常識を採用することは、当業者が容易に想到し得たことである。
　
　したがって、本件発明は、刊行物１発明及び刊行物２発明、技術常識から当業者が容易に想到し得たものである。 
　
　そして、本願発明の作用効果も、刊行物１発明及び刊行物２発明、技術常識から当業者が予測できる範囲のものである。
　
５．むすび
　したがって、本願発明は、刊行物１，２に基づいて当業者が容易に発明をすることができたものであるから、特許法２９条２項の規定により特許を受けることができない。
　
　よって、結論のとおり審決する。